(57)【要約】      （修正有）【課題】かき氷機の製造に用いられる氷削機において、切削台に覗き窓を設けることで、かき氷の量、盛り方及び品質を直接目で見て判断することができる氷削機構造を提供する。【解決手段】氷削機構造は、本体２に基台２１及び切削台２２が配置され、駆動モータにより回転される回転部２４をハンドル２３により駆動させ、切削台２２のスリット２２１に配置された切削刃２５により切削を行う。基台上には、氷受け容器が載置され、切削台には、覗き窓が設けられ、覗き窓は、切削台に穿設された溝形状のものである。覗き窓は、切削台に１つ又は複数設けることができる。【選択図】図４
0003167984.tif 000002
【実用新案登録請求の範囲】
【請求項１】
本体と、該本体に配置された基台と、切削台と、その上部に設けた、ハンドルにより駆動させ、駆動モータにより回転される回転部と、前記切削台のスリットに配置された切削刃とからなる氷削機構造であって、
前記基台上には、氷受け容器が載置され、
前記切削台には、覗き窓が設けられてなることを特徴とする氷削機構造。
【請求項２】
前記覗き窓は、前記切削台に穿設された溝であることを特徴とする請求項１に記載の氷削機構造。
【請求項３】
前記覗き窓は、前記切削台に１つ設けられていることを特徴とする請求項１に記載の氷削機構造。
【請求項４】
前記覗き窓は、前記切削台に複数設けられていることを特徴とする請求項１に記載の氷削機構造。
【考案の詳細な説明】
【技術分野】
【０００１】
本考案は、かき氷製造用の氷削機に関するものであり、さらに詳しくは、覗き窓を有する氷削機構造に関するものである。
【背景技術】
【０００２】
図１を参照する。図１に示すように、従来の氷かき機は、本体１に、氷受け容器１６を載置させるために用いる基台１１と、切削台１２とが配置され、駆動モータ（図示せず）により回転される回転部１４をハンドル１３により駆動し、切削台１２のスリット１２１に設けられた切削刃１５を用いて氷塊を切削する。このように、切削台１２上に氷塊を載置し、ハンドル１３により回転部１４を押下させると、氷塊を押圧しながら回転部１４が回転するため、切削台１２の切削刃１５に氷塊の底端を当接させて切削を行うことができる。氷塊を切削して製造されたかき氷は、切削台１２のスリット１２１を通り、基台１１上に載置された氷受け容器１６に落下し、氷菓が製造される。
【０００３】
しかし、一般に、氷かき機のハンドル１３は、ユーザが操作し易い位置に配置されているため、ユーザが氷受け容器１６を見たくても、切削台１２によりユーザの視界が遮られるため、切削台１２のスリット１２１を通って基台１１上に載置された氷受け容器１６にかき氷が落下する状態を、ユーザは切削作業を行う際の立った姿勢のまま、氷受け容器１６を上から視認することができなかった。
【０００４】
そのため、氷受け容器１６にかき氷が正確に落下しているか否か、かき氷を均一に分散させて盛られるように氷受け容器１６を回転させるタイミング及びかき氷の量が十分か否かを、直接見て判断することができないため、ユーザの経験により判断するほかなかった。そのため、かき氷の量を均一にすることができず、品質が均一でなくなるという問題があった。
【０００５】
従って、かき氷の量を均一にするために、ユーザは、氷削を行いながら腰を曲げて観察することにより、氷受け容器１６にかき氷が均一に分散されて盛られているか否か、かき氷の量が十分か否かを確認しなければならないため非常に作業が困難であり、作業能率も極めて低いものであった。
【０００６】
かかる状況下において、実用新案登録公報第３００５９９３号公報には氷削り器の基本的な構造が記載されているが、氷受器の観察が十分できるような構成はされていない。
【特許文献１】実用新案登録第３００５９９３号公報
【考案の開示】
【考案が解決しようとする課題】
【０００７】
従って、本考案の目的は、ユーザが氷受け容器を直接視認することができ、かき氷の量、盛り方及び品質を容易に判断することができる氷削機構造を提供することにある。
【課題を解決するための手段】
【０００８】
そこで、本考案者は、本考案の前記課題を解決するため、鋭意検討を重ねた結果、かき氷機の切削台に設けた覗き窓により前記課題を解決できることを見出し、かかる知見に基いて本考案に想到した。
【０００９】
かくして、上記課題を解決するために、本考案の第１の形態によれば、
本体と、該本体に配置された基台と、切削台と、その上部に設けた、ハンドルにより駆動させ、駆動モータにより回転される回転部と、前記切削台のスリットに配置された切削刃とからなる氷削機構造であって、
前記基台上には、氷受け容器が載置され、
前記切削台には、覗き窓が設けられてなることを特徴とする氷削機構造が提供される。
【００１０】
前記覗き窓は、前記切削台に透設された溝であることが好ましい。
【００１１】
前記覗き窓は、前記切削台に１つ設けられていることが好ましい。
【００１２】
前記覗き窓は、前記切削台に複数設けられていることが好ましい。
【図面の簡単な説明】
【００１３】
【図１】従来の氷かき機を示す斜視図である。
【図２】従来の氷かき機を示す分解斜視図である。
【図３】本考案の一実施形態による氷削機構造を示す斜視図である。
【図４】本考案の一実施形態による氷削機構造を示す分解斜視図である。
【図５】本考案の一実施形態による氷削機構造を示す分解斜視図である。
【考案を実施するための最良の形態】
【００１４】
以下、本考案の実施形態について図面に基づいて説明する。なお、これによって本考案が限定されるものではない。
【００１５】
図３及び図４を参照する。図３及び図４に示すように、本考案の一実施形態によるかき氷製造用の氷削機構造は、本体２に配置された基台２１及び切削台２２を有する。駆動モータ（図示せず）により回転される回転部２４をハンドル２３により駆動させ、切削台２２に載置した氷塊を回転部２４により押さえ、切削台２２のスリット２２１に設けられた切削刃２５により切削を行う。基台２１は、氷受け容器２６を載置するために用いる。切削台２２には、覗き窓２２２が穿設されている。
【００１６】
切削台２２上に氷塊を載置し、ハンドル２３により回転部２４の高低位置を調整し、回転部２４を押下させて氷塊を押圧し、駆動させると、氷塊の底端が切削台２２の切削刃２５に当接された状態で回転し、切削される。氷塊を切削して製造されたかき氷は、切削台２２のスリット２２１を通り、基台２１上に載置された氷受け容器２６に落下し、氷菓が製造される。ユーザは、切削するときの立った姿勢のまま、氷受け容器２６を覗き窓２２２から直接視認することができる。そのため、氷受け容器２６にかき氷が正確に落下しているか否かについて、かき氷を均一に分散させて盛るためにどのタイミングで氷受け容器２６を回転させるべきかについて、かき氷の量が十分か否かを直接判断し、随時調整することができる。そのため、かき氷の品質及び量が一定なかき氷を製造することができる。また、ユーザは、氷削を行いながら腰を曲げて氷受け容器２６のかき氷を確認する必要がないため、操作が容易になる。
【００１７】
本実施形態の覗き窓２２２は、切削台２２の箇所（図５参照）に設けられているが、本考案はこの態様だけに限定されるわけではなく、氷受け容器２６を直接視認することが可能な切削台２２の他の箇所に設けられてもよい。
【００１８】
また、切削台２２に設けられた覗き窓２２２は、必要に応じて１つ又は２つ以上設けてもよい。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１  本体
２  本体
１１  基台
１２  切削台
１３  ハンドル
１４  回転部
１５  切削刃
１６  氷受け容器
２１  基台
２２  切削台
２３  ハンドル
２４  回転部
２５  切削刃
２６  氷受け容器
１２１  スリット
２２１  スリット
２２２  覗き窓
【図１】
0003167984.tif 000003
【図２】
0003167984.tif 000004
【図３】
0003167984.tif 000005
【図４】
0003167984.tif 000006
【図５】
0003167984.tif 000007